(57)【要約】【課題】汎用性の高いリレー用コイル端子を提供する。【解決手段】コイル端子４１に、リレー用コイルとの間で電気的に接続される接続部４１０、リレーの外部に露出して外部の電源回路と接続される外部接続部４１１、リレー用コイルのボビンに挿入される挿入部４１２、リレー用コイルの電磁的ノイズを除去するノイズ除去回路を取り付けるための取付部４１３および切り欠き部４１４をそれぞれ形成する。ノイズ除去回路の端子形状が針金状のものである場合は、切り欠き部４１４に当該端子を挿入してから、取付部４１３を切り欠き部４１４の方向に回動させてかしめて取り付ける。一方、ノイズ除去回路の端子形状がハンダ付けに適した形状であれば、取付部４１３が突出した形状となっていることを利用して、取付部４１３に当該端子部をハンダ付けする。【選択図】図３
2006210018.tif 000002
【特許請求の範囲】
【請求項１】
コイルに電力を供給するためのリレー用コイル端子であって、
前記コイルとの間で電気的に接続される接続部と、
前記コイルの電磁的ノイズを除去する複数種類の回路から選択された１の回路を取り付けるための取付部と、
を備え、
前記複数種類の回路は、ハンダ付け、溶接またはカシメのいずれかの取付手法によって取り付けられるものであり、
前記取付部は、前記選択された１の回路が、前記取付手法のいずれによって取り付けられるものであっても取付可能な形状であることを特徴とするリレー用コイル端子。
【請求項２】
請求項１に記載のリレー用コイル端子であって、
前記取付部には、前記選択された１の回路を取り付けるための切欠部が設けられていることを特徴とするリレー用コイル端子。
【請求項３】
回路を開閉するリレーであって、
電力供給を受けて励磁されるコイルと、
外部から前記コイルに電力を供給するための一対の端子と、
励磁された前記コイルとの間の電磁的相互作用によって揺動する揺動部材と、
前記揺動部材の揺動に連動して移動することによって前記回路を切り替える可動接点と、
前記コイルにおける電磁的ノイズを除去する複数種類の回路のうちから選択された１の回路と、
を備え、
前記複数種類の回路は、ハンダ付け、溶接またはカシメのいずれかの取付手法によって取り付けられるものであり、
前記一対の端子は、前記選択された１の回路が、前記取付手法のいずれによって取り付けられるものであっても取付可能な形状の取付部を有することを特徴とするリレー。
【請求項４】
請求項３に記載のリレーであって、
前記取付部には、前記選択された１の回路を取り付けるための切欠部が設けられていることを特徴とするリレー。
【請求項５】
請求項３または４に記載のリレーであって、
前記複数種類の回路には、ダイオードが含まれることを特徴とするリレー。
【請求項６】
請求項３または４に記載のリレーであって、
前記複数種類の回路には、抵抗素子とコンデンサー素子とから構成される回路が含まれることを特徴とするリレー。
【発明の詳細な説明】
【技術分野】
【０００１】
本発明は、リレー用コイル端子の汎用性を向上させる技術に関する。また、汎用性の高い部品を用いることによって製造コストの低いリレーを提供する技術に関する。
【背景技術】
【０００２】
回路を開閉するリレーは、可動接点を移動させるための駆動力を生成するコイルを備えており、このコイルは外部から電力が供給されることによって励磁される。このためリレーは、コイルと外部とを接続するためのリレー用コイル端子（外部からの電力供給を受けるための端子）を備えている。
【０００３】
また、リレーでは、リレー用コイル端子に、コイルの動作を確認するための動作表示灯回路が取り付けられる場合がある。動作表示灯回路は、基板に発光素子等を実装した構造であり、作業者からの視認性を考慮して、コイルの側面等に設けられるのが一般的である。したがって、リレー用コイル端子には動作表示灯回路を取り付けるための取付部が設けられる。
【０００４】
一方、コイルの電磁的ノイズを除去するためのノイズ除去回路を備えたリレーも提案されているが、小型のリレーでは、外形寸法がほぼ限られており、付加的に取り付けられるこれらの回路のために、充分なスペースを確保できないという事情がある。
【０００５】
そこで小型のリレーでは、垂直方向に配置された動作表示灯回路の基板に、比較的薄い構造のチップダイオードを実装する、あるいは、リレー用コイル端子の取付部に動作表示灯回路の代わりに直接ダイオードを取り付けることによって、ノイズ除去回路を搭載するものが提案されている。
【発明の開示】
【発明が解決しようとする課題】
【０００６】
ところが、上記リレーにおいて、動作表示灯回路の代わりにノイズ除去回路を取り付ける場合、リレー用コイル端子の取付部の形状が、異なる取付手法に対応することができず、ノイズ除去回路の取付手法に応じて、異なるリレー用コイル端子を用いる必要があるという問題があった。例えば、ハンダ付け用、カシメ用あるいは溶接用といった、それぞれ異なる取付手法に対応したリレー用コイル端子を製造しなければならない。
【０００７】
また、交流電源による電磁的ノイズを除去するためには、コンデンサーを用いたノイズ除去回路が有効であるが、コンデンサーは比較的厚みのある電子部品であるため、コイルの側面に配置するスペースを確保できないという問題があった。
【０００８】
また、動作表示灯回路とノイズ除去回路とを同時に実装するためには、比較的薄いチップダイオードを用いるが、チップダイオードは逆耐電圧の上限が２５０Ｖ程度しかなく、あまり実用的でないという問題があった。すなわち、動作表示灯回路とノイズ除去回路とを実用的に搭載することが困難であるという問題があった。
【０００９】
本発明は、上記課題に鑑みなされたものであり、リレー用コイル端子の汎用性を向上させることを第１の目的とする。
【００１０】
また、汎用性の高いリレー用コイル端子を用いることで、製造コストを抑えたリレーを提供することを第２の目的とする。
【課題を解決するための手段】
【００１１】
上記の課題を解決するため、請求項１の発明は、コイルに電力を供給するためのリレー用コイル端子であって、前記コイルとの間で電気的に接続される接続部と、前記コイルの電磁的ノイズを除去する複数種類の回路から選択された１の回路を取り付けるための取付部とを備え、前記複数種類の回路は、ハンダ付け、溶接またはカシメのいずれかの取付手法によって取り付けられるものであり、前記取付部は、前記選択された１の回路が、前記取付手法のいずれによって取り付けられるものであっても取付可能な形状であることを特徴とする。
【００１２】
また、請求項２の発明は、請求項１の発明に係るリレー用コイル端子であって、前記取付部には、前記選択された１の回路を取り付けるための切欠部が設けられていることを特徴とする。
【００１３】
また、請求項３の発明は、回路を開閉するリレーであって、電力供給を受けて励磁されるコイルと、外部から前記コイルに電力を供給するための一対の端子と、励磁された前記コイルとの間の電磁的相互作用によって揺動する揺動部材と、前記揺動部材の揺動に連動して移動することによって前記回路を切り替える可動接点と、前記コイルにおける電磁的ノイズを除去する複数種類の回路のうちから選択された１の回路とを備え、前記複数種類の回路は、ハンダ付け、溶接またはカシメのいずれかの取付手法によって取り付けられるものであり、前記一対の端子は、前記選択された１の回路が、前記取付手法のいずれによって取り付けられるものであっても取付可能な形状の取付部を有することを特徴とする。
【００１４】
また、請求項４の発明は、請求項３の発明に係るリレーであって、前記取付部には、前記選択された１の回路を取り付けるための切欠部が設けられていることを特徴とする。
【００１５】
また、請求項５の発明は、請求項３または４の発明に係るリレーであって、前記複数種類の回路には、ダイオードが含まれることを特徴とする。
【００１６】
また、請求項６の発明は、請求項３または４の発明に係るリレーであって、前記複数種類の回路には、抵抗素子とコンデンサー素子とから構成される回路が含まれることを特徴とする。
【発明の効果】
【００１７】
請求項１および２に記載の発明では、コイルの電磁的ノイズを除去する複数種類の回路から選択された１の回路を取り付けるための取付部を備え、複数種類の回路は、ハンダ付け、溶接またはカシメのいずれかの取付手法によって取り付けられるものであり、取付部は、選択された１の回路が、取付手法のいずれによって取り付けられるものであっても取付可能な形状であることにより、汎用性の向上を図ることができる。
【００１８】
請求項３ないし６に記載の発明では、コイルにおける電磁的ノイズを除去する複数種類の回路のうちから選択された１の回路を備え、複数種類の回路は、ハンダ付け、溶接またはカシメのいずれかの取付手法によって取り付けられるものであり、一対の端子は、選択された１の回路が、取付手法のいずれによって取り付けられるものであっても取付可能な形状の取付部を有することにより、選択された１の回路に応じて、別形状の端子を製造する必要がない。したがって、部品の共通化によって、製造コストを削減できる。
【００１９】
請求項５に記載の発明では、複数種類の回路には、ダイオードが含まれることにより、直流電源を用いた場合のコイルの電磁的ノイズを除去することができる。
【００２０】
請求項６に記載の発明では、複数種類の回路には、抵抗素子とコンデンサー素子とから構成される回路が含まれることにより、交流電源を用いた場合のコイルの電磁的ノイズを除去することができる。
【発明を実施するための最良の形態】
【００２１】
以下、本発明の好適な実施の形態について、添付の図面を参照しつつ、詳細に説明する。
【００２２】
＜１．  第１の実施の形態＞
図１は、本発明に係るリレー１の外観斜視図である。また、図２は、リレー１の内部構造を示す側面図である。
【００２３】
なお、図１および図２において、図示および説明の都合上、Ｚ軸方向が鉛直方向を表し、ＸＹ平面が水平面を表すものとして定義するが、それらは位置関係を把握するために便宜上定義するものであって、以下に説明する各方向を限定するものではない。以下の図についても同様である。また、図１では、ケース２の外形を二点鎖線で示している。
【００２４】
本実施の形態におけるリレー１は、いわゆる小型のリレーであって、図１に示すように、中空のケース２とベース３とが係合することによって、内部を保護する構造となっている。
【００２５】
ケース２は、光透過性を有する樹脂製の一体構造物であって、ベース３と係合する（−Ｚ）方向に開口した略箱状の部材である。なお、ケース２を構成する素材は、光透過性を有し、内部を保護することのできる強度を有する素材であれば、どのようなものであってもよい。このような素材として、例えば、ガラス（石英）などを用いてもよい。
【００２６】
ベース３は、リレー１の各構成要素の基台として機能する。これらリレー１の各構成要素は、主に（＋Ｚ）側からベース３に取り付けられる。また、リレー１の端子（例えば、コイル端子４１等）は、ベース３を（＋Ｚ）側から（−Ｚ）側に貫通するように取り付けられており、ベース３の外部に露出している。このようにして、露出した端子に外部の所定の回路を接続することによって、リレー１の内部と外部との電気的接続が実現される。
【００２７】
リレー１の内部には、コイルユニット４、揺動部５および接点ユニット６がベース３に取り付けられた状態で収容されている。
【００２８】
コイルユニット４は、コイル４０、一対のコイル端子４１、表示灯ユニット４２、コア４３、ヨーク４４およびノイズ除去回路４５を備え、主に揺動部５のアーマチュア５０を揺動させるための磁界を生成する。
【００２９】
コイルユニット４のコイル４０は、コイル端子４１に電圧が印加されることによって励磁され、内部に有するコア４３によって先述の磁界を形成する。なお、コイル端子４１の形状および機能については、後に詳述する。
【００３０】
表示灯ユニット４２は、コイル端子４１に電圧が印加されているか否かを照明光によって表示するユニットである。表示灯ユニット４２は、主に照明光を照射する発光素子などの電子部品と、これら電子部品を取り付ける基板から構成される。
【００３１】
ヨーク４４は、板状の金属部材であって、コア４３に対してカシメ固定されている。ヨーク４４の（＋Ｚ）側の端部はアーマチュア５０に当接しており、アーマチュア５０が揺動する際の支点となる。すなわち、ヨーク４４は、コア４３とアーマチュア５０との相対位置を決定する保持部材としての機能を有している。
【００３２】
ノイズ除去回路４５は、コイル４０とベース３の底面との間に配置される。ノイズ除去回路４５は、コイル４０に発生する電磁的ノイズを除去するための回路であって、例えば、リレー１の機能に応じて複数種類の回路から選択されて、コイル端子４１に取り付けられる。すなわち、ノイズ除去回路４５は、選択的に決定され取り付けられる回路であって、その機能および構造は様々であるが、これについては後に詳述する。
【００３３】
揺動部５は、アーマチュア５０、ヒンジバネ５１およびカード５２を備え、コイル４０とアーマチュア５０との間の電磁的相互作用（主にコア４３とアーマチュア５０との間の吸引力を生じる作用）により生成された駆動力を、コモン端子部６０に伝達する。また、ヒンジバネ５１の付勢力によって生成される駆動力（主にカード５２を（−Ｙ）方向に復帰させる駆動力）を、コモン端子部６０に伝達する。
【００３４】
アーマチュア５０は、（＋Ｙ）側端部が（−Ｚ）方向に屈曲した板状の部材であって、励磁されたコイル４０との間で電磁的相互作用を生じる素材（例えば、鉄）で形成される。詳細は図示しないが、アーマチュア５０の（＋Ｙ）側端部は、カード５２を（＋Ｙ）方向に押し出す押圧部となっている。すなわち、コイル４０が励磁された状態では、アーマチュア５０は、屈曲部（ヨーク４４に当接している部分であって、Ｘ軸に略平行な軸となる）を中心に、（−Ｙ）側の端部がコイル４０（コア４３）に引き寄せられる方向（図２において時計方向）に回動する。これによって、アーマチュア５０の（＋Ｙ）側端部が（＋Ｙ）方向に移動し、カード５２を（＋Ｙ）方向に移動させる。
【００３５】
ヒンジバネ５１は、例えばステンレス製の弾性部材であり、ベース３に取り付けられる。ヒンジバネ５１は、アーマチュア５０の（＋Ｙ）側端部を（−Ｙ）方向に付勢する。この付勢力によって、ヒンジバネ５１は、コイル４０が励磁されていない状態において、アーマチュア５０を前述の屈曲部を中心にコイル４０（コア４３）から離間する方向（図２において反時計方向）に回動させる。したがって、カード５２を（＋Ｙ）方向に押圧していたアーマチュア５０の（＋Ｙ）側端部が（−Ｙ）方向に移動する。
【００３６】
また、ヒンジバネ５１は、カード５２とも係合しており、カード５２を（−Ｙ）方向に引き寄せるように付勢する。したがって、アーマチュア５０が図２において反時計回りに回動すると、カード５２を（＋Ｙ）方向に付勢する外力（アーマチュア５０から加わる力）が消滅するので、カード５２はヒンジバネ５１の付勢力に従って（−Ｙ）方向に移動する。
【００３７】
カード５２は、可撓性を有する樹脂製の一体構造物であり、可動バネ６００を挟持するための一対のアームが（＋Ｙ）方向に突設されている。このような構造により、カード５２は、コモン端子部６０を移動（変形）させるための駆動力を伝達するリンク部材として機能する。
【００３８】
接点ユニット６は、コモン端子部６０、常閉接点端子６１および常開接点端子６２を備え、揺動部５から伝達される駆動力に応じて、回路を切り替える機能を有している。
【００３９】
図２に示すように、接点ユニット６において、常閉接点端子６１および常開接点端子６２の（＋Ｚ）側の端部は、所定の間隔をあけて、Ｙ軸方向に対向しており、その間にコモン端子部６０が配置される。コモン端子部６０（コモン端子６０２）、常閉接点端子６１および常開接点端子６２は、いずれもベース３の外部に露出し、外部の回路と電気的に接続することが可能とされている。
【００４０】
コモン端子部６０は、Ｙ軸方向に弾性を有する略短冊状の可動バネ６００と、可動バネ６００をＹ軸方向に貫通して取り付けられる可動接点６０１と、ベース３に固定されるコモン端子６０２とを有する。
【００４１】
可動バネ６００には、カード５２と所定の位置で係合するための切り欠き部が形成されている。また、可動バネ６００の（−Ｚ）側の端部には、ベース３に固定されたコモン端子６０２に固定するための一対の取付孔が設けられている。したがって、可動バネ６００の（−Ｚ）側の端部は静止しており、カード５２の移動に伴って、可動バネ６００はＹ軸方向に曲げ変形することとなる。
【００４２】
常閉接点端子６１および常開接点端子６２の（＋Ｚ）側の端部には、可動接点６０１との接触を確実に行うために、常閉接点６１０および常開接点６２０が、可動接点６０１と対向する位置にそれぞれ設けられている。常閉接点端子６１および常開接点端子６２は、ベース３に固定されており常時静止している。
【００４３】
このリレー１の接点切替え動作を簡単に説明すると、以下の通りである。コイル４０にコイル端子４１を通じて電圧が印加されない状態では、ヒンジバネ５１の付勢力によってカード５２が（−Ｙ）方向に付勢される。この付勢力によってカード５２が（−Ｙ）方向に移動し、カード５２に係合したコモン端子部６０の可動バネ６００が（−Ｙ）方向に引き寄せられる。
【００４４】
この動きに連動して、可動バネ６００に取り付けられている可動接点６０１が移動し、常閉接点端子６１に接触するとともに、常開接点端子６２から離間する。すなわち、コイル端子４１に電圧が印加されない状態では、コモン端子部６０と常閉接点端子６１とは導通状態にあり、逆にコモン端子部６０と常開接点端子６２とは切断状態にある。
【００４５】
一方、コイル４０のコイル端子４１に電圧が印加されると、コイル４０の図示しないコアからアーマチュア５０にかけて生ずる磁界により、アーマチュア５０がヒンジバネ５１の付勢力に抗してコア４３の上端に引き寄せられる。すなわち、コイル４０とアーマチュア５０との電磁的相互作用によって、アーマチュア５０が揺動（回動）する。
【００４６】
このアーマチュア５０の動きがカード５２を通じてコモン端子部６０の可動バネ６００に伝えられ、可動バネ６００が常開接点端子６２側（＋Ｙ方向）に押し出されて、可動接点６０１が移動する。これにより、コモン端子部６０（可動接点６０１）と常開接点端子６２との間が導通状態となる。逆に常閉接点６１０から可動接点６０１が離れ、コモン端子部６０と常閉接点端子６１との間は切断状態となる。
【００４７】
以上が、本実施の形態におけるリレー１の機能および構成の説明である。次に、コイル端子４１およびノイズ除去回路４５について詳述する。
【００４８】
図３は、本実施の形態におけるコイル端子４１の組み立て前の形状を示す図である。図４は、ダイオード４５ａをノイズ除去回路４５としてコイル端子４１ａ，４１ｂに取り付ける様子を示す図である。なお、本実施の形態におけるリレー１では、コイル端子４１をコイル４０に取り付けてからノイズ除去回路４５を取り付けるが、図４では、コイル４０を省略している。また、接続部４１０は、コイル４０に接続された後に、内側に折り曲げられてコイル４０のボビン内に収容されるが、図４では折り曲げる前の状態で示している。後に示す図６においても同様である。
【００４９】
コイル端子４１は、導体（例えば、金属）を材料とする板状の部材であって、Ｘ軸方向に対向して２つ配置される。図４に示すように、一対のコイル端子４１のうち、（＋Ｘ）側をコイル端子４１ａ、（−Ｘ）側をコイル端子４１ｂと称する。
【００５０】
コイル端子４１には、コイル４０との間で電気的に接続される接続部４１０、リレー１の外部に露出して外部の電源回路と接続される外部接続部４１１、コイル４０のボビンに挿入される挿入部４１２、コイル４０の電磁的ノイズを除去する複数種類の回路から選択された１の回路（ノイズ除去回路４５）を取り付けるための取付部４１３および切り欠き部４１４がそれぞれ形成されている。
【００５１】
接続部４１０は、コイル４０の巻線（導線）または表示灯ユニット４２が電気的に接続される部分である。より詳しくは、コイル端子４１ａの接続部４１０には、コイル４０の巻線が直接ハンダ付けされ、コイル端子４１ｂの接続部４１０には、表示灯ユニット４２を介してコイル４０の巻線が接続される。すなわち、表示灯ユニット４２内の回路とコイル４０とは電気的に直列接続されており、コイル４０に電圧が印加されると、同時に表示灯ユニット４２にも電圧が印加される。なお、表示灯ユニット４２を搭載しない場合には、いずれの接続部４１０にもコイル４０の巻線を直接接続すればよい。
【００５２】
外部接続部４１１は、前述のように、ベース３の底面を貫通するようにして（−Ｚ）方向外部に露出する。先述のように、コイル端子４１ａの接続部４１０と、コイル端子４１ｂの接続部４１０との間には表示灯ユニット４２を介してコイル４０が接続されているので、コイル端子４１ａの外部接続部４１１と、コイル端子４１ｂの外部接続部４１１との間に電圧が印加されると、コイル４０が励磁される。
【００５３】
図４に示すダイオード４５ａは、チップ型のダイオードではなく、その両端から針金状の導線が延びる形状の素子であって、この２本の導線間に電圧を印加することによって、例えばノイズを除去する回路として機能する。
【００５４】
リレー１では、ダイオード４５ａの導線の端部を切り欠き部４１４に挿入し、（＋Ｙ）側に細く突出した部分として形成されている取付部４１３を、図４の太矢印で示す方向にかしめることによってダイオード４５ａを取り付ける。すなわち、取付部４１３が細く突出した形状となっていることにより、これを梃子のようにして切り欠き部４１４を容易にかしめることができる。このように、リレー１の取付部４１３は、針金状の導線を端子部とする回路を、カシメによって容易に取り付けることができる。
【００５５】
コイル端子４１および導線はいずれも導体であるので、ダイオード４５ａをカシメによって取り付けることで、同時にコイル端子４１とダイオード４５ａとを電気的にも接続することができる。
【００５６】
コイル端子４１ａ，４１ｂは、ダイオード４５ａを介して接続された状態となるので、コイル４０とダイオード４５ａとは電気的に並列接続された状態となる。したがって、ダイオード４５ａは直流電源が供給される場合のコイル４０の電磁的ノイズを除去するノイズ除去回路４５として機能する。
【００５７】
また、このようなタイプのダイオード４５ａは逆耐電圧の上限を１０００Ｖ程度とすることが可能であり、従来のリレーのようにノイズを除去する回路としてチップダイオードを採用する場合に比べて、実用性が向上する。
【００５８】
また、表示灯ユニット４２とノイズ除去回路４５とを異なる位置に配置することによって、リレー１には、チップダイオードでないダイオード４５ａおよび表示灯ユニット４２の両方を組み込むことができる。
【００５９】
図５は、ＣＲ回路４５ｂを示す斜視図である。図６は、ＣＲ回路４５ｂをノイズ除去回路４５としてコイル端子４１ａ，４１ｂに取り付ける様子を示す図である。
【００６０】
ＣＲ回路４５ｂは、基板４５０の表面にコンデンサー４５１と抵抗素子４５２とを固定した回路である。基板４５０の表面には、平坦面状の導体４５３，４５４，４５５がそれぞれ貼り付けられている。これら導体４５３，４５４，４５５に、コンデンサー４５１および抵抗素子４５２がハンダ付けされることによって、ＣＲ回路４５ｂはコンデンサー４５１と抵抗素子４５２とが電気的に直列接続された回路を構成している。
【００６１】
ＣＲ回路４５ｂでは、コンデンサー４５１および抵抗素子４５２を基板４５０に取り付けた状態において、導体４５３および導体４５５の表面が露出しており、これがＣＲ回路４５ｂの端子部として機能する。すなわち、導体４５３と導体４５５との間に電圧が印加されると、ＣＲ回路４５ｂは、例えばノイズを除去する回路として機能する。
【００６２】
リレー１にＣＲ回路４５ｂをノイズ除去回路４５として選択し搭載する場合は、ＣＲ回路４５ｂの導体４５３，４５５の表面とコイル端子４１の取付部４１３とを、図６に示すように接触させてハンダ付けする。
【００６３】
これにより、コイル端子４１ａ，４１ｂは、ＣＲ回路４５ｂを介して接続された状態となるので、コイル４０とＣＲ回路４５ｂとは電気的に並列接続された状態となる。したがって、ＣＲ回路４５ｂは交流電源が供給された場合のコイル４０の電磁的ノイズを除去するノイズ除去回路４５として機能する。
【００６４】
また、従来の小型リレーでは、コンデンサーの素子としての厚みが比較的厚いために、配置スペースを確保できず、ノイズを除去する回路として採用することが難しかった。しかし、本実施の形態におけるリレー１では、コイル４０とベース３の底面との間のスペースにノイズ除去回路４５を配置するので、ＣＲ回路４５ｂのようにコンデンサー４５１を備える回路であっても採用することができる。したがって、リレー１を交流電源に接続して使用する場合であっても、当該交流電源によるコイル４０の電磁的ノイズを除去することができる。
【００６５】
図４および図６に示すように、リレー１のコイル端子４１には、ダイオード４５ａおよびＣＲ回路４５ｂといった複数種類の回路から選択された１の回路が、ノイズ除去回路４５として取り付けられる。すなわち、リレー１は、直流電源による電磁的ノイズを除去するダイオード４５ａや、交流電源による電磁的ノイズを除去するＣＲ回路４５ｂといった両方の機能を容易に提供することができる。なお、これら複数種類の回路のうちのどれを選択するかは、例えば、リレー１の用途や要求される精度等に応じて決定すればよい。
【００６６】
以上のように、本実施の形態におけるコイル端子４１の取付部４１３は、取り付ける対称となり得る複数種類の回路がカシメやハンダ付けといった異なる取付手法により取り付けなければならない回路を含んでいても、それら異なる取付手法に対応できる形状となっている。
【００６７】
これにより、リレー１は、選択されるノイズ除去回路４５に合わせて、個別に複数種類のコイル端子を用意する必要がなく、コイル端子４１を共通に用いることができ、コイル端子４１の汎用性を向上させることができる。
【００６８】
また、汎用性の高いコイル端子４１を用いることによって部品の共通化が実現されるので、リレー１の製造コストが削減される。
【００６９】
＜２．  変形例＞
以上、本発明の実施の形態について説明してきたが、本発明は上記実施の形態に限定されるものではなく様々な変形が可能である。
【００７０】
例えば、ノイズ除去回路４５としては、ダイオード４５ａおよびＣＲ回路４５ｂについて説明したが、これに限られるものではなく、バリスタ素子からなるノイズ除去回路４５であってもよい。
【００７１】
また、取付部４１３にノイズ除去回路４５を取り付ける取付手法は、「カシメ」および「ハンダ付け」に限られるものではなく、例えば「溶接」であってもよい。
【００７２】
また、針金状の導線が端子部となっているノイズ除去回路４５は、必ずカシメによって取り付けなければならないわけではない。例えば、ダイオード４５ａの導線を、コイル端子４１の切欠部４１４に挿入して、ハンダ付けしてもよい。
【００７３】
また、リレー１では、コイル端子４１ａ，４１ｂをコイル４０に取り付けてからノイズ除去回路４５を取り付けるが、例えば、ベース３に取り付けられた端子にノイズ除去回路４５を取り付けてから、当該端子にコイル４０を取り付けてもよい。すなわち、ノイズ除去回路４５を取り付ける端子は、リレー１が備える端子であって、コイル４０に電力を供給するための端子であればよい。
【図面の簡単な説明】
【００７４】
【図１】本発明に係るリレーの外観斜視図である。
【図２】リレーの内部構造を示す側面図である。
【図３】本実施の形態におけるコイル端子の組み立て前の形状を示す図である。
【図４】ダイオードをノイズ除去回路としてコイル端子に取り付ける様子を示す図である。
【図５】ＣＲ回路を示す斜視図である。
【図６】ＣＲ回路をノイズ除去回路としてコイル端子に取り付ける様子を示す図である。
【符号の説明】
【００７５】
１  リレー
２  ケース
３  ベース
４  コイルユニット
４０  コイル
４１，４１ａ，４１ｂ  コイル端子
４１０  接続部
４１３  取付部
４１４  切り欠き部
４２  動作表示灯ユニット
４５  ノイズ除去回路
４５１  コンデンサー
４５２  抵抗素子
４５ａ  ダイオード
４５ｂ  ＣＲ回路
５  揺動部
５０  アーマチュア
６  接点ユニット
６０１  可動接点
６０２  コモン端子
６１  常閉接点端子
６２  常開接点端子
【図１】
2006210018.tif 000003
【図２】
2006210018.tif 000004
【図３】
2006210018.tif 000005
【図４】
2006210018.tif 000006
【図５】
2006210018.tif 000007
【図６】
2006210018.tif 000008